(57)【要約】【課題】ランプの大幅にフレキシブルな用途を提供する。【解決手段】フレキシブルな管体（１０）の殊に端部側にクランプ体（１２）が固定されており、該クランプ体が電流ケーブル（１３）のコネクタを収容するためのソケットを有しているようにした。【選択図】図１
0003111244.tif 000002
【実用新案登録請求の範囲】
【請求項１】
フレキシブルな管体（１０）の端部側に固定されたランプヘッド（１１）と、電圧供給部又は変圧器とを備えたランプにおいて、
フレキシブルな管体（１０）の殊に端部側にクランプ体（１２）が固定されており、該クランプ体が電流ケーブル（１３）のコネクタを収容するためのソケットを有していることを特徴とするランプ。
【請求項２】
電流ケーブル（１３）がバッテリボックス（１５）に接続されている、請求項１記載のランプ。
【請求項３】
バッテリボックス（１５）が電源装置／充電器用のコネクタを有している、請求項２記載のランプ。
【請求項４】
バッテリボックス（１５）がＵＳＢケーブルコネクタを有している、請求項２又は３記載のランプ。
【請求項５】
バッテリボックス（１５）にばね負荷されるクランプ（１７）が固定されている、請求項２から４までのいずれか１項記載のランプ。
【請求項６】
変圧器が乗用車のシガレットライタソケット用のコネクタとして形成されている、請求項１記載のランプ。
【考案の詳細な説明】
【技術分野】
【０００１】
本考案は、フレキシブルな管体の端部側に固定されたランプヘッドと、電圧供給部又は変圧器とを備えたランプに関する。
【背景技術】
【０００２】
住宅建物に固定的に組み込まれた壁面照明又は天井照明、自動車内室照明又はその他の定置で組み込まれた照明システムの他に、例えば携帯可能な手持ち式ランプ、テーブルランプ又はスタンドランプ等の移動可能な照明もある。テーブルランプの場合、ランプ軸部を直接又は間接的にねじクランプ状の装置又はばね負荷されるクランプを介してプレート、窓台等に固定することが公知である。アダプタコネクタを有するランプも公知であり、このアダプタコネクタは、乗用車用シガレットライタソケットに挿入可能であり且つ任意の位置調整を可能にするフレキシブルな管部材を介して、照明手段を支持するランプヘッドに接続されている。
【０００３】
ドイツ連邦共和国実用新案第２０３１０７８０号明細書に基づき公知の電気的な装置、特にラップトップのためのランプ構造も、少なくとも１つの分離部材と、上端部に取り付けられたアダプタを備えたフレキシブルな管とを有する保持区分を有している。ソケット区分は旋回可能にアダプタと結合されており、このアダプタには複数の発光ダイオードを備えたランプが固定されている。バッテリケーシングとして形成されていてもよいベース部材と結合されたクランプ部材は、ラップトップカバーに照明を位置固定することを可能にする。
【特許文献１】ドイツ連邦共和国実用新案第２０３１０７８０号明細書
【考案の開示】
【考案が解決しようとする課題】
【０００４】
本考案の課題は、冒頭で述べた形式のランプを改良して、大幅にフレキシブルな用途を提供することである。
【課題を解決するための手段】
【０００５】
この課題を解決するために本考案では、フレキシブルな管体の殊に端部側にクランプ体が固定されており、該クランプ体が電流ケーブルのコネクタを収容するためのソケットを有しているようにした。
【考案の効果】
【０００６】
有利にはばね負荷されるクランプであるクランプ体は、必ずしも剛性若しくは曲げ強さを有していなくともよい所望の場所に固定可能である。従って、例えばランプをジャケット区分又はベルト、帽子、枠縁、携帯可能な筆記用下敷き又はその他の場所に固定することが可能であり、この場合、管体のフレキシビリティーがランプヘッドの最適な位置調整を可能にする。
【０００７】
コネクタソケットは、変圧器、バッテリ若しくは再充電可能なバッテリとしてのアキュムレータ又はその他の適当な低電圧の電圧源への解離可能な接続を可能にする。
【０００８】
有利には、電流ケーブルは、内部に適当な数のバッテリ、場合によっては再充電可能なバッテリが配置されたバッテリボックスに接続されている。本考案の別の構成では、バッテリボックスはこのバッテリボックス内でのバッテリ（アキュムレータ）の再充電と同時にランプの作動を可能にする電源チャージャ用のコネクタを有している。
【０００９】
本考案の更に別の構成では、バッテリボックスはＵＳＢ（Ｕｎｉｖｅｒｓａｌ−Ｓｅｒｉａｌ−ＢＵＳ）ケーブルコネクタを有しており、このＵＳＢケーブルコネクタは、ＰＣ又は携帯可能なラップトップとの接続を可能にする。
【００１０】
このようなコネクタにより、選択的にバッテリボックスに配置されたバッテリ、ＰＣ又はラップトップ、又は自動車バッテリに（シガレットライタを介して）接続されているか又は１１０Ｖ又は２２０Ｖ固定電源に接続された外部の変圧器からの電圧供給が可能である。
【考案を実施するための最良の形態】
【００１１】
以下に、本考案を実施するための最良の形態を図面につき詳しく説明する。
【００１２】
本考案によるランプはフレキシブルな管体１０を有しており、この管体１０の自由端部にはランプヘッド１１が固定されており、このランプヘッド１１は照明手段、有利には１つ又は複数の発光ダイオード（ＬＥＤ）を有している。フレキシブルな管体は、内部に光源電圧供給用の適当な電気的な電線を有している。フレキシブルな管体は（材料フレキシビリティーの枠内で）撓められ、この場合、その都度位置調整された位置に留まる。
【００１３】
フレキシブルな管体１０は、他方の端部にばね負荷されるクランプ１２を有しており、このクランプ１２は、電流ケーブル１３のコネクタが挿入可能なソケットを有している。前記電流ケーブル１３は、図１に示したように乗用車用シガレットライタのためのアダプタコネクタ又は対応するソケット１６を有するバッテリボックス１５に接続されていてよい。バッテリボックス１５はＵＳＢコネクタを有していてもよく、これにより、ＰＣ又はラップトップへの接続が可能である。本考案の場合は、バッテリボックスに付加的にクランプ１７が固定されており、このクランプ１７はバッテリボックスの位置固定も可能にする。バッテリボックスは、有利には再充電可能なバッテリを所要数有している。有利にはバッテリボックスは、外部電圧供給時にバッテリ充電装置として働く電子回路機器も有している。
【００１４】
本考案の枠内では、相補的な差込みコンタクト１８と解離可能に接続された雄又は雌の差込みコンタクトで終わる電流ケーブルをクランプ１２から導出することも可能である。
【００１５】
バッテリボックス１５のソケット１６は、ＵＳＢソケットとして構成されていてもよい。
【００１６】
図３に示したように、例えばＵＳＢコネクタ１８は短い導体部材１９と接続されていてよく、この導体部材１９はコネクタソケット２０で成端されており、このコネクタソケット２０には、ケーブル端部に設けられたコネクタ２１を解離可能に挿入することができる。
【００１７】
説明した照明は、ラップトップ又はＰＣのＵＳＢコネクタに接続可能であり且つクランプ１２を以てラップトップケーシング又はモニタに緊締可能である。可撓性のネック１０はランプ１１の位置調整を可能にする。択一的に、ランプはバッテリボックス１５にも接続可能なので、ランプは電源とは無関係に使用することもできる。
【００１８】
差込みコネクタとしては、バナナプラグ、ＢＮＣコネクタ又は類似の小型差込みコネクタ若しくはアダプタが使用可能である。
【図面の簡単な説明】
【００１９】
【図１】アダプタに接続された本考案によるランプを示した図である。
【図２】バッテリボックスの斜視図である。
【図３】ＵＳＢコネクタ及び分離可能なカップリングを備えたケーブル端部の斜視図である。
【符号の説明】
【００２０】
１０  管体、  １１  ランプヘッド、  １２，１７  クランプ、  １３  電流ケーブル、  １５  バッテリボックス、  １６  ソケット、  １８  ＵＳＢコネクタ、  １９  導体部材、  ２０  コネクタソケット、  ２１  コネクタ
【図１】
0003111244.tif 000003
【図２】
0003111244.tif 000004
【図３】
0003111244.tif 000005